(57)【特許請求の範囲】
【請求項１】
前枠の前面に設けられ、遊技球を貯留する球受け部と、前記前枠の前面に着脱可能に取り付けられ、前記球受け部の前面を覆うカバー部材とを有する球皿を備え、前記球皿の上面に複数の操作部を設けた遊技機において、
前記複数の操作部は、前記球皿における上面の一部をなすベース部材に設置され、
前記ベース部材は、
該ベース部材における前記前枠に臨む後縁部に形成した突部を、該前枠に設けた孔部に挿入すると共に、該ベース部材における前記球受け部に臨む縁部を該球受け部の上縁に載置し、
該ベース部材の前縁部を、前記カバー部材の上縁に形成されて該前枠へ向けて屈曲する押え部と該カバー部材における前枠に臨む後面に設けられた載置部との間で保持した状態で、前枠、球受け部およびカバー部材に囲まれる領域に組み付けられるよう構成した
ことを特徴とする遊技機。
【請求項２】
前記突部は、前記ベース部材の後縁部から突出する突出片と、この突出片の後端に設けられて左右方向に延在する係合片とからなる鉤状に形成され、
前記ベース部材は、前記突部を前記孔部に挿通して左右方向にスライド変位することで、前記係合片を該孔部を画成する前記前枠の開口縁部に引っ掛けて該前枠に組み付けられ、
前記前枠の前面または前記カバー部材の後面の少なくとも一方に突設されたボス部と、前記前枠の前面または前記カバー部材の後面に前記ボス部に対応して設けられ、該ボス部に臨む先端にボス部の先端と嵌合する凹部を有するボス受部とを備え、
前記ボス部の先端を前記ボス受部の凹部に嵌合して、前記カバー部材を前記前枠にネジ止めするよう構成した請求項１記載の遊技機。
【請求項３】
前記複数の操作部は、前記ベース部材に対して別々に設置され、互いに独立して着脱可能とされる請求項１または２記載の遊技機。
【発明の詳細な説明】
【技術分野】
【０００１】
この発明は、複数の操作部を設置した球皿を備えた遊技機に関するものである。
【背景技術】
【０００２】
パチンコ機には、上球皿の上面にチャンスボタン等と呼ばれる演出用の操作ボタンが設置され、図柄表示装置に表示されている遊技演出に合わせて演出操作ボタンを遊技者に操作させることで、遊技者を遊技演出に引き込んで興趣の向上を図っている(例えば、特許文献１参照)。また、上球皿の上部には、パチンコ機に併設された球貸しユニットを操作する球貸し用の操作ボタンが設置されることもある。これらの操作ボタンは、遊技者に押圧される操作部分を支持部材で出没可能に保持したユニット単位で取り扱われる。そして、演出用の操作ボタンおよび球貸し用の操作ボタンを一緒に設置する場合であっても、上皿に対して直接に、かつ別々に取り付けられている。すなわち、特許文献１に開示の如く、操作ボタンユニットは、上皿の上面部に設けた開口部に上方からユニットを挿入し、上皿の上面部から下方に突き出たユニットの下部を、上皿の後側から皿内に挿入した保持部材で挟持すると共に、保持部材を上皿に対して水平方向からビスで固定することで取り付けられる。
【特許文献１】特開２００７−６８８６５号公報
【発明の開示】
【発明が解決しようとする課題】
【０００３】
ところで、操作ボタンユニットは、遊技者によって押圧される部分であるから破損することがあり、操作ボタンユニットを交換する必要が生じることがある。特に、演出用の操作ボタンユニットは、遊技中に操作される頻度が高いので、破損し易い。しかしながら、前述した操作ボタンユニットは、上皿を前枠から取り外して、更に上皿にビス固定されている保持部材を取り外さなければ交換することができず、非常に手間がかかる難点がある。また、操作ボタンユニットは、上皿に直接取り付けられているので、上皿の三次元的な立体形状により保持部材の固定向きや固定方法が制限されると共に、上皿の外形形状に邪魔されて保持部材の着脱が行ない難い。更に、演出用の操作ボタンユニットおよび球貸し用の操作ボタンユニットの両方を交換する場合には、両操作ボタンユニットが上皿に別々に取り付けられているから、一層手間がかかる。
【０００４】
すなわち本発明は、従来の技術に係る遊技機に内在する前記問題に鑑み、これらを好適に解決するべく提案されたものであって、球皿に設置した複数の操作部を、容易に着脱し得る遊技機を提供することを目的とする。
【課題を解決するための手段】
【０００５】
前記課題を克服し、所期の目的を達成するため、本願の請求項１に係る発明の遊技機は、
前枠(20)の前面に設けられ、遊技球を貯留する球受け部(32)と、前記前枠(20)の前面に着脱可能に取り付けられ、前記球受け部(32)の前面を覆うカバー部材(40)とを有する球皿(30)を備え、前記球皿(30)の上面に複数の操作部(60,70)を設けた遊技機において、
前記複数の操作部(60,70)は、前記球皿(30)における上面の一部をなすベース部材(52)に設置され、
前記ベース部材(52)は、
該ベース部材(52)における前記前枠(20)に臨む後縁部(52a)に形成した突部(53)を、該前枠(20)に設けた孔部(24)に挿入すると共に、該ベース部材(52)における前記球受け部(32)に臨む縁部(52b)を該球受け部(32)の上縁(35)に載置し、
該ベース部材(52)の前縁部(52c)を、前記カバー部材(40)の上縁に形成されて該前枠(20)へ向けて屈曲する押え部(42)と該カバー部材(40)における前枠(20)に臨む後面に設けられた載置部(43)との間で保持した状態で、前枠(20)、球受け部(32)およびカバー部材(40)に囲まれる領域に組み付けられるよう構成したことを特徴とする。
請求項１に係る発明によれば、前枠、球受け部およびカバー部材によってベース部材が球皿の上面に保持される。また、ベース部材は、突部を前枠の孔部に挿入すると共に球受け部の上縁に該球受け部に臨む縁部を載置したもとで、カバー部材の押え部と載置部との間に前縁部を保持する構成であるから、前枠に組み付けたカバー部材を取り外すだけで、ベース部材をカバー部材、球受け部および前枠と分離することができる。このように、ベース部材を簡単に着脱することができるので、ベース部材に設置した複数の操作部の交換を容易に行なうことができる。また、ベース部材は、球皿の一部であるから、球皿全体を取り扱うのと比較して取り扱い容易であり、ベース部材に対して操作部を着脱するのが簡単になる。
【０００６】
請求項２に係る発明では、前記突部(53)は、前記ベース部材(52)の後縁部(52a)から突出する突出片(53a)と、この突出片(53a)の後端に設けられて左右方向に延在する係合片(53b)とからなる鉤状に形成され、
前記ベース部材(52)は、前記突部(53)を前記孔部(24)に挿通して左右方向にスライド変位することで、前記係合片(53b)を該孔部(24)を画成する前記前枠(20)の開口縁部に引っ掛けて該前枠(20)に組み付けられ、
前記前枠(20)の前面または前記カバー部材(40)の後面の少なくとも一方に突設されたボス部(47)と、前記前枠(20)の前面または前記カバー部材(40)の後面に前記ボス部(47)に対応して設けられ、該ボス部(47)に臨む先端にボス部(47)の先端と嵌合する凹部(22b)を有するボス受部(22A)とを備え、
前記ボス部(47)の先端を前記ボス受部(22A)の凹部(22b)に嵌合して、前記カバー部材(40)を前記前枠(20)にネジ止めするよう構成したことを要旨とする。
請求項２に係る発明によれば、カバー部材は、ボス部をボス受部の凹部に嵌合してから前枠にネジ止めする構成であるので、ボス部をボス受部の凹部に嵌合すると、ボス部が凹部に位置規制されてカバー部材を前枠に対してスライド変位させることができない。一方、ベース部材は、突部の係合片を孔部の開口縁部に係止する構成であるから、ベース部材を前枠に取り付けるためには、突部を前枠の孔部に挿入してからスライド変位する必要がある。すなわち、ベース部材を前枠に対して取り付けた後でないとカバー部材を前枠に取り付けることができず、ベース部材およびカバー部材の取付順序を規定することができる。
【０００７】
請求項３に係る発明では、前記複数の操作部(60,70)は、前記ベース部材(52)に対して別々に設置され、互いに独立して着脱可能とされることを要旨とする。
請求項３に係る発明によれば、複数の操作部は、ベース部材に対して別々に設置されているので、カバー部材を取り外してしまえば、個々にベース部材から取り外すことができる。
【発明の効果】
【０００８】
本発明に係る遊技機によれば、カバー部材を取り外すだけで複数の操作部が設置されたベース部材を取り外すことができるから、複数の操作部を容易に着脱し得る。
【発明を実施するための最良の形態】
【０００９】
次に、本発明に係る遊技機につき、好適な実施例を挙げて、添付図面を参照して以下に説明する。なお実施例では、遊技球としてのパチンコ球を使用して遊技を行なうパチンコ機について説明する。また、以下の説明において前・後および左・右とは、特に断りのない限り、遊技機を正面側(遊技者側)から見た場合において指称するものとする。
【実施例】
【００１０】
図１に示すように、実施例に係るパチンコ機１０は、矩形枠状に形成され、図示しない遊技店の設置枠台に固定された外枠１２と、この外枠１２の開口前面側に開閉および着脱可能に組み付けられた中枠１４と、この中枠１４に保持された遊技盤１６とを備えている。また、中枠１４の前面側には、該中枠１４に保持した遊技盤１６を透視保護するガラス窓２０ａを備えた前枠２０が開閉可能に組み付けられると共に、前枠２０の下方にパチンコ球を貯留する下球皿１８が開閉可能に組み付けられる。そして、前枠２０の下部には、パチンコ球を貯留する上球皿(球皿)３０が組み付けられており、前枠２０の開閉に合わせて上球皿３０も一体的に開閉するよう構成される。
【００１１】
図２または図３に示すように、前記上球皿３０は、前枠２０の前面に設けられて、パチンコ球を貯留する球受け部３２と、前枠２０の前面に着脱可能に取り付けられ、球受け部３２の前面を覆うカバー部材４０とを備えている。また上球皿３０の上面には、遊技盤１６に設けられる図柄表示装置や可動体等の演出手段(何れも図示せず)による演出に合わせて操作されるチャンスボタン等と呼ばれる演出操作部６０およびパチンコ機１０に併設された球貸しユニット(図示せず)を操作する球貸し操作部７０が設けられている。ここで、演出操作部６０および球貸し操作部７０は、前枠２０、球受け部３２およびカバー部材４０に着脱可能に保持されて上球皿３０における上面の一部をなすベース部材５２に設置され、このベース部材５２を介して共通ユニット５０として取扱い可能となっている(図３参照)。
【００１２】
前記球受け部３２は、該球受け部３２の左側に前枠２０の前面から前側に膨出するよう形成され、パチンコ球を貯留する皿状部３４と、該球受け部３２の右側に形成されて、皿状部３４から球発射装置(図示せず)または下球皿１８にパチンコ球を案内する案内部３６とを備えている(図３または図４参照)。皿状部３４は、上方に開口した有底部位であって、パチンコ機１０の背面に設置された球払出し装置(図示せず)から払出されたパチンコ球を導入する導入口３４ａが、左後面に前枠２０を前後方向に貫通して形成されている。また皿状部３４は、右側に位置する案内部３６に接続する右側部位に向かうにつれて、前枠２０の前面からの張り出し寸法が小さくなるように形成されている。更に皿状部３４は、上縁に設けられて、外側へ向けて水平に延出するフランジ３５と、左外側面に前後方向に延在して設けられて、上下に離間して対向配置された一対の規制片３４ｂ,３４ｂとを備えている。案内部３６は、皿状部３４に連通すると共にパチンコ球一個ずつの通過を許容する通路が内側に画成され、前枠２０の前面からの張り出し寸法が皿状部３４と比較して小さくなっている。案内部３６の前面には、カバー部材４０の前面に設けた球抜きボタン４１の操作により案内部３６の通路を下球皿１８に連通するように切換える球抜き機構３８が配設されている。なお、球受け部３２は、前枠２０の後側から螺挿したネジにより前枠２０に対して固定されている。
【００１３】
前記カバー部材４０は、上部が開放された略半椀状の部材であって、後縁部を前枠２０の前面に突き合わせて、球受け部３２の皿状部３４、案内部３６および案内部３６の前面に設けた球抜き機構３８の前側を覆って前枠２０の前面に組み付けられる(図３参照)。カバー部材４０は、該カバー部材４０の上縁に形成され、前枠２０の前面へ向けて水平に屈曲する押え部４２と、該カバー部材４０における前枠２０の前面に臨む面(以下、後面という)４０ａに設けられた複数の載置部４３とを備えている(図５参照)。各載置部４３は、カバー部材４０の後面から突出する板状に形成される。また各載置部４３は、カバー部材４０の後面４０ａにおいて、載置部４３の上面と押え部４２の下面との間に、ベース部材５２の前端部(後述する段部)５２ｃの板厚と同一または僅かに大きい隙間を画成するように配置されている。カバー部材４０は、後面４０ａにおける球受け部３２の皿状部３４に対向する左側部位に突設した板状の設置部４４を複数備え、各設置部４４は、該設置部４４の上面と押え部４２の下面との間に、球受け部３２のフランジ３５の板厚と同一または僅かに大きい隙間を画成するように配置されている。すなわち、各設置部４４は、カバー部材４０を前枠２０に取り付けた際に、各設置部４４で球受け部３２のフランジ３５を下方から支持するようになっている。
【００１４】
前記カバー部材４０には、後面４０ａにおける球受け部３２の皿状部３４に対向する左側部位に板状の案内片４５が設けられ(図５参照)、カバー部材４０を前枠２０に取り付けた際に、案内片４５が皿状部３４における一対の規制片３４ｂ,３４ｂの間に位置するよう構成される。すなわち、カバー部材４０は、前枠２０に取り付ける際に、案内片４５が一対の規制片３４ｂ,３４ｂにより上下方向の移動が規制されて、前枠２０に対する適切な取付位置に案内される。カバー部材４０の内底面には、ベース部材５２に設置した演出操作部６０の下方に臨む位置に複数の支持部４６が立設され、これら支持部４６により演出操作部６０の演出操作本体６２の下部を保持する固定具６６を下方から支持するようになっている。
【００１５】
前記カバー部材４０の後面には、円柱状のボス部４７が前枠２０の前面へ向けて複数突設され、各ボス部４７は、後端面にネジ孔４７ａを備えている(図５参照)。一方、前枠２０の前面には、カバー部材４０の各ボス部４７に対応する位置にボス受部２２が設けられている(図３参照)。各ボス受部２２は、前枠２０の後面において開口すると共に前端が閉塞した円筒状に形成され、前端面に通孔２２ａを備えている。そして、カバー部材４０は、各ボス部４７の後端を対応のボス受部２２の前端に突き合わせて、通孔２２ａを介して前枠２０の後側からネジ孔４７ａに螺挿したネジ(図示せず)によって、前枠２０の前面に固定される。ここで、前枠２０の前面において、球受け部３２を挟んで左右の両側に夫々配置されたボス受部(他のボス受部と区別する場合は、メインボス受部２２Ａという)は、前端(ボス部に臨む先端)に対応のボス部４７の後端と嵌合する凹部２２ｂが設けられている(図３参照)。凹部２２ｂは、円形のボス部４７の後端に合わせて円形に凹設され、ボス部４７の後端と同一または僅かに大きな直径とされる。メインボス受部２２Ａでは、凹部２２ｂの中央に通孔２２ａが開設され、凹部２２ｂにボス部４７の後端を嵌合した際に、ネジ孔４７ａが通孔２２ａに整合するようになっている。なお、上球皿３０は、上面の左右両側が吊り上がった弓状に形成され、メインボス受部２２Ａが上球皿３０の上面に設置される演出操作部６０および球貸し操作部７０と略同一高さに配置されている。
【００１６】
前記ベース部材５２は、前枠２０の前面、球受け部３２の皿状部３４およびカバー部材４０の上縁との間に画成される開口に合わせて形成された板状の部材であって、主に球受け部３２の案内部３６および球抜き機構３８の上方を覆っている。図６に示すように、ベース部材５２は、前枠２０の前面に臨む後端部５２ａに設けた突部５３と、カバー部材４０の上端に臨む前端部５２ｃに形成され、演出操作部６０および球貸し操作部７０が設置される本体部分と比較して階段状に低く設定した段部とを備えている。またベース部材５２には、球受け部３２の皿状部３４に臨む縁部(以下、載置縁部と云う)５２ｂの下面に、板状の設置片５４が複数設けられている(図５参照)。各設置片５４には、ベース部材５２における載置縁部５２ｂの下面との間に皿状部３４のフランジ３５の板厚分だけ隙間を形成し、載置縁部５２ｂをフランジ３５に載置した際に、各設置片５４と載置縁部５２ｂの下面との間にフランジ３５を挟持するようになっている。ベース部材５２には、演出操作部６０の設置部分となる第１開口部５６と、球貸し操作部７０の設置部分となる第２開口部５８とが左右方向に並べて開設されている(図８または図９参照)。なお、実施例では、第２開口部５８の左側に第１開口部５６が設けられている。
【００１７】
前記突部５３は、ベース部材５２の後縁部５２ａから突出する突出片５３ａと、この突出片５３ａの後端左側部に設けられ、左右方向に延在する係合片５３ｂとからなる鉤状に形成されている(図７参照)。一方、前枠２０の前面には、上下寸法が突部５３の板厚より僅かに大きく、左右寸法が係合片５３ｂを含めた突部５３の左右寸法より僅かに大きく設定されて、突部５３を挿通可能な孔部２４が開設されている(図３参照)。そして、ベース部材５２は、突部５３を孔部２４に挿通した状態でベース部材５２を左側にスライド変位して、突部５３の係合片５３ｂを孔部２４を画成する前枠２０の開口縁部に引っ掛けることで、前枠２０の前面に保持される。また、突部５３により前枠２０の前面に保持されたベース部材５２は、右側にスライド変位して、係合片５３ｂを含めた突部５３全体を孔部２４に整合させることで、突部５３を孔部２４から抜け出すことが可能となる。
【００１８】
前記ベース部材５２は、突部５３を前枠２０の孔部２４に挿入すると共に、載置縁部５２ｂを球受け部３２のフランジ３５に載置したもとで、前縁部５２ｃをカバー部材４０の押え部４２と載置部４３との間に保持した状態で、前枠２０、球受け部３２およびカバー部材４０に囲まれる開口に組み付けられる。この際、ベース部材５２は、演出操作部６０および球貸し操作部７０が設置された本体部分がカバー部材４０の押え部４２と面一になると共に、載置縁部５２ｂの下面と設置片５４との間に皿状部３４のフランジ３５を挟持するようになっている。
【００１９】
次に、実施例の共通ユニット５０、演出操作部６０および球貸し操作部７０について、具体的に説明する。共通ユニット５０は、演出操作部６０がベース部材５２の第１開口部５６に設置される一方、球貸し操作部７０がベース部材５２の第２開口部５８に設置され、これらの操作部６０,７０が互いに独立してベース部材５２に対し着脱可能に構成されている(図６〜図９参照)。なお、第１開口部５６は、本体部分より一段下げて形成した受片(開口縁)５６ａを備えている。
【００２０】
前記演出操作部６０は、第１開口部５６の上方から挿入されて下部がベース部材５２の下方に突出する演出操作本体６２と、この演出操作本体６２をベース部材５２に対して着脱可能に保持する固定具６６とを備えている(図８または図９参照)。演出操作本体６２は、楕円筒状の筒状部６３と、この筒状部６３の内側に上下方向にスライド可能に保持され、ベース部材５２の上方に臨むボタン状の操作体６４とを備え、筒状部６３の外周上縁には、演出操作本体６２を第１開口部５６に上方から挿入した際に該第１開口部５６の受片５６ａに支持される鍔部６３ａが突出形成されている。また、筒状部６３には、該筒状部６３における第１開口部５６を介してベース部材５２の下方に突出する下部外周に一対の突片６３ｂ,６３ｂが突設されている。一対の突片６３ｂ,６３ｂは、筒状部６３の外周方向に離間して配置され、実施例では楕円筒状の筒状部６３において長軸に交差する部位に配置されている。更に、演出操作本体６２は、筒状部６３の内部に設置され、操作体６４の上下動に応じて電気的に接続または非接続状態に移行する接点部(図示せず)と、下面に外部に臨んで設けられ、接点部からの電気信号を外部に取出す配線(図示せず)が接続されるソケット６５とを有している(図７参照)。
【００２１】
前記固定具６６は、上下に貫通した円筒形の筒部６６ａと、この筒部６６ａにおける上縁の内周面に設けられた一対の係止片６６ｂ,６６ｂと、筒部６６ａの上部外周に形成された一対の延出部６６ｃ,６６ｃとを備えている(図８または図９参照)。固定具６６は、筒部６６ａの内径が演出操作本体６２における両突片６３ｂ,６３ｂ間の水平距離より大きく設定され、筒部６６ａの内部に演出操作本体６２の下部を挿通可能になっている。また固定具６６は、両延出部６６ｃ,６６ｃを含めた全体の外形寸法が第１開口部５６より大きく設定され、第１開口部５６を挿通不能とされる。一対の係止片６６ｂ,６６ｂは、筒部６６ａの内周面から内側へ夫々突出して点対称の関係で筒部６６ａの内周面に離間配置され、両係止片６６ｂ,６６ｂ間の水平距離が演出操作本体６２における両突片６３ｂ,６３ｂ間の水平距離より小さくなるように設定されている。そして固定具６６は、筒部６６ａにおける両係止片６６ｂ,６６ｂの間を介して演出操作本体６２の両突部６３ｂ,６３ｂが通過可能とする一方、両係止片６６ｂ,６６ｂと両突部６３ｂ,６３ｂとを上下の位置関係で整合することで、固定具６６に対する演出操作本体６２の下部の挿脱を規制するよう構成される。
【００２２】
すなわち、演出操作部６０は、第１開口部５６に上方から挿入した演出操作本体６２の下部に対して、両係止片６６ｂ,６６ｂの間の挿通部を両突片６３ｂ,６３ｂに整合した位置(以下、分離位置という)で固定具６６が外嵌される。また、固定具６６の上面をベース部材５２の下面に突出したリブ５２ｄに当接した状態で、固定具６６を演出操作本体６２の下部を中心として回転変位して各係止片６６ｂを対応の突片６３ｂの上方に配置した係合位置で、各係止片６６ｂで対応の突片６３ｂの上方移動を阻むことで、演出操作本体６２におけるベース部材５２から分離する方向である上方への移動が規制される(図７参照)。そして、固定具６６は、係合位置から分離位置へ回転変位すると、各係止片６６ｂが対応の突片６３ｂから外れて各突片６３ｂと挿通部とが整合するので、演出操作本体６２のベース部材５２からの分離が許容される。
【００２３】
前記固定具６６は、該固定具６６の上面をベース部材５２の下面に突出したリブ５２ｄに当接した状態で、分離位置と係合位置との間の回転変位が案内されると共に、係合位置で回転変位が制約されるようになっている。具体的には、固定具６６には、ベース部材５２における第１開口部５６の開口縁部下面に突設された一対の突起部５７,５７に対応して、円弧状の溝部６７が開設され、固定具６６の上面をベース部材５２のリブ５２ｄに当接した際に、各突起部５７が対応の溝部６７に収容されるようになっている(図７参照)。ここで、各溝部６７は、固定具６６の分離位置で溝部６７の一端に突起部５７が当接すると共に、固定具６６の係合位置で溝部６７の他端に突起部５７が当接するよう構成される。また各溝部６７は、他端から突起部５７の外径分だけ離間した位置に配置して、該溝部６７の一方の開口縁から他方の開口縁へ向けて突出した規制部６７ａが設けられている。すなわち、固定具６６は、係合位置から分離位置へ向けて回転変位する際に、各規制部６７ａが固定具６６の係合位置から分離位置への回転変位方向前側に位置する対応の突起部５７に当接して、当該回転変位が制約される。そして、固定具６６は、突起部５７と規制部６７ａとの当接下に溝部６７または規制部６７ａを弾性変形させることで、規制部６７ａが突起部５７を乗り越えて係合位置または分離位置へ向けて回転変位するようになっている。
【００２４】
前記球貸し操作部７０は、第２開口部５８に着脱可能に設置され、ベース部材５２の上面に臨むボタン状の２つの操作体７３,７３を有する球貸し操作本体７２と、ベース部材５２の下方に配置され、球貸し操作本体７２の下側に臨むスイッチ基板(基板)７６を収容する基板ケース７４とを備えている(図８または図９参照)。球貸し操作本体７２は、半透明の板状部分を基本として、貸し球用の操作体７３と、カード取出し用の操作体７３とが板状部分に夫々上下方向に変位可能に保持されている。具体的には、各操作体７３は、板状部分に開設されたボタン開口に挿通して該板状部分の下方に突出した下部を、ボタン開口の下方に突設されて下端に開口内側に突出する爪を有する一対のフック(図示せず)で保持されている。なお、球貸し操作本体７２における板状部分の外周縁には、両操作体７３,７３が臨む面と比較して階段状に低く形成した段差部分が設けられている。
【００２５】
前記ベース部材５２は、第２開口部５８における開口縁に下方へ突設された一対の保持爪５９,５９を備え、各保持爪５９,５９の下端には、第２開口部５８の内側へ突出する爪が形成されている(図７参照)。そして、球貸し操作本体７２は、ベース部材５２の下方から第２開口部５８に挿通して、段差部分を第２開口部５８の開口縁に整合すると共に、一対の保持爪５９,５９で支持することで、ベース部材５２に保持される。この際、ベース部材５２の上面と球貸し操作本体７２の上面とが面一になる。
【００２６】
前記スイッチ基板７６は、球貸し操作本体７２の２つの操作体７３,７３に対応して配置した２つの接点部７６ａ,７６ａと、配線が接続されるソケット７６ｂと、カードの残数を表示する７セグメントからなるカウンタ７６ｃと、ＬＥＤ等の発光体７６ｄとを上面に備えている(図８または図９参照)。そして、スイッチ基板７６は、上方に開放する箱形の基板ケース７４に収容される。基板ケース７４は、左右の側部に突出した耳部７４ａ,７４ａの通孔を介して、ベース部材５２の下面に突設した取付ボス５２ｅのネジ孔にネジを螺挿することで(図５参照)、ベース部材５２の下面に組み付けられる。この際、球貸し操作本体７２の半透明の板状部分を介して、点灯されたカウンタ７６ｃの表示や発光体７６ｄの光が視認可能となっている。
【００２７】
〔実施例の作用〕
次に、実施例に係るパチンコ機１０の作用について説明する。パチンコ機１０では、演出操作部６０および球貸し操作部７０がベース部材５２を介して共通ユニット５０として取り扱い可能であって、ベース部材５２が前枠２０の前面、球受け部３２のフランジ３５およびカバー部材４０の載置部４３によって、前後上下左右の変位が規制された状態で上球皿３０の上面に確実に保持される。ここで、ベース部材５２は、突部５３を前枠２０の孔部２４に挿入すると共に球受け部３２のフランジ３５に載置縁部５２ｂを載置したもとで、カバー部材４０の押え部４２と載置部４３との間に前縁部５２ｃを保持する構成である。すなわち、前枠２０の前面に組み付けたカバー部材４０を取り外すだけで、ベース部材５２をカバー部材４０、球受け部３２および前枠２０から簡単に分離することができる。このように、ベース部材５２を簡単に着脱することができるので、ベース部材５２に設置した演出操作部６０および球貸し操作部７０の交換を容易に行なうことができる。また、ベース部材５２は、カバー部材４０や球受け部３２と分離可能であり、上球皿３０の一部だけを構成する部材であるから、カバー部材４０や球受け部３２と比べて小さく、球皿３０全体を取り扱うのと比較して取り扱い容易であり、ベース部材５２に対して操作部６０,７０を着脱するのが簡単になる。
【００２８】
前記カバー部材４０は、ボス部４７を前枠２０の前面に突出したメインボス受部２２Ａの凹部２２ｂに嵌合してから前枠２０にネジ止めする構成であって、ボス部４７をメインボス受部２２Ａの凹部２２ｂに嵌合することで、ボス部４７が凹部２２ｂに位置規制されて、カバー部材４０を適切な位置に保持し得る。すなわち、カバー部材４０は、前枠２０に対してスライド変位させることができない。一方、ベース部材５２は、突部５３の係合片５３ｂを前枠２０に開設した孔部２４の開口縁部に係止する構成であるから、ベース部材５２を前枠２０に取り付けるためには、突部５３を孔部２４に挿入してから左右方向へスライド変位する必要がある。すなわち、ベース部材５２を前枠２０に対して取り付けた後でないとカバー部材４０を前枠２０に取り付けることができず、ベース部材５２およびカバー部材４０の取付順序を規定することができる。また上球皿３０は、球受け部３２を左右に挟んで演出操作部６０および球貸し操作部７０と略同一高さで設けたメインボス受部２２Ａと対応のボス部４７とをネジ止めして、カバー部材４０を前枠２０の前面に組み付ける構成である。これにより、上球皿３０では、カバー部材４０、前枠２０の前面および球受け部３２で保持したベース部材５２に設置した演出操作部６０および球貸し操作部７０に加わる力を、メインボス受部２２Ａおよびボス部４７に分散することができ、ベース部材５２が確実に保持される。
【００２９】
前記共通ユニット５０では、演出操作部６０および球貸し操作部７０が、ベース部材５２に別々に設置されており、個々の操作部６０,７０に合わせて最適な取付構造とされる。すなわち、交換頻度の高い演出操作部６０は、ネジ等の工具を使用しなくては着脱できない締結具を用いず、第１開口部５６に挿通した演出操作本体６２を固定具６６で係合保持する構成であるから、ベース部材５２に対して簡単に着脱することができる。これに対して、交換頻度の低い球貸し操作部７０は、演出操作部６０の基板と比較して大きいスイッチ基板７６を確実に保持するために、スイッチ基板７６を収容した基板ケース７４をベース部材５２にネジ止めしている。但し、基板ケース７４をベース部材５２から取り外せば、球貸し操作部７０の球貸し操作本体７２は、一対の保持爪５９,５９で係止されているだけなので簡単に着脱することができる。そして、演出操作部６０および球貸し操作部７０は、球受け部３２やカバー部材４０から分離可能なベース部材５２に設置される構成であるので、球受け部３２やカバー部材４０に邪魔されず、演出操作部６０および球貸し操作部７０をベース部材５２に対して着脱することができる。
【００３０】
前記演出操作部６０では、固定具６６が係合位置でベース部材５２の突起部５７と規制部６７ａとの当接下に回転変位が制約されると共に、固定具６６がカバー部材４０の支持部４６により下方から支持されるから、演出操作本体６２から脱落し難くなる。すなわち、演出操作本体６２を固定具６６で確実に保持することができる。
【図面の簡単な説明】
【００３１】
【図１】本発明の好適な実施例に係るパチンコ機を分解して示す概略斜視図である。
【図２】実施例のパチンコ機の前枠および上球皿を示す斜視図である。
【図３】実施例のパチンコ機において、前枠と上球皿とを分解して示す斜視図である。
【図４】実施例の上球皿を後側から示す斜視図である。
【図５】実施例の共通ユニットを保持したカバー部材を示す背面図である。
【図６】実施例の共通ユニットを示す斜視図である。
【図７】実施例の共通ユニットを示す下面図である。
【図８】実施例の共通ユニットを分解して前側から示す斜視図である。
【図９】実施例の共通ユニットを分解して後側から示す斜視図である。
【符号の説明】
【００３２】
２０ 前枠
２２Ａ メインボス受部(ボス受部)
２２ｂ 凹部
２４ 孔部
３０ 上球皿(球皿)
３２ 球受け部
３５ フランジ(上縁)
４０ カバー部材
４２ 押え部
４３ 載置部
４７ ボス部
５２ ベース部材
５２ａ 後縁部
５２ｂ 載置縁部(縁部)
５２ｃ 前縁部
５３ 突部
５３ａ 突出片
５３ｂ 係合片
６０ 演出操作部(操作部)
７０ 球貸し操作部(操作部)
【図１】
0005127410.tif 000002
【図２】
0005127410.tif 000003
【図３】
0005127410.tif 000004
【図４】
0005127410.tif 000005
【図５】
0005127410.tif 000006
【図６】
0005127410.tif 000007
【図７】
0005127410.tif 000008
【図８】
0005127410.tif 000009
【図９】
0005127410.tif 000010